【手続補正書】
【提出日】平成18年11月7日(2006.11.7)
【手続補正１】
【補正対象書類名】特許請求の範囲
【補正対象項目名】全文
【補正方法】変更
【補正の内容】
【特許請求の範囲】
【請求項１】
Ｗｅｂサーバ装置とネットワークを介して通信可能であり、周辺機器と接続された情報処理装置であって、
前記周辺機器の制御プログラムを記憶する第１記憶手段と、
前記周辺機器に関する周辺機器データを生成するデータ生成手段と、
前記周辺機器データを記憶する第２記憶手段と、
前記周辺機器データの送信指示を前記Ｗｅｂサーバ装置から受け付ける指示受付手段と、
前記送信指示に応答して、前記第１記憶手段により記憶された制御プログラムのバージョン情報と前記第２記憶手段により記憶された周辺機器データに含まれるバージョン情報とを比較する比較手段と、
前記比較の結果、前記バージョン情報同士が一致しなければ、前記周辺機器データを更新するよう制御する更新制御手段と、
前記更新された周辺機器データを前記Ｗｅｂサーバ装置へ送信する送信手段と、
前記送信された周辺機器データへの応答となるページデータを前記Ｗｅｂサーバ装置から受信する受信手段と、
前記受信手段により受信されたページデータをＷｅｂブラウザのウインドウに表示させる表示制御手段と、
を備え、
前記周辺機器データに含まれるバージョン情報は、前記データ生成手段により前記周辺機器データが生成されたときに前記第１記憶手段により記憶されていた制御プログラムのバージョン情報であることを特徴とする情報処理装置。
【請求項２】
前記周辺機器データは前記送信手段による送信の宛先となるＵＲＬをさらに含むことを特徴とする請求項１に記載の情報処理装置。
【請求項３】
前記周辺機器はプリンタであり、前記制御プログラムはプリンタドライバであることを特徴とする請求項１に記載の情報処理装置。
【請求項４】
Ｗｅｂサーバ装置とネットワークを介して通信可能であり、周辺機器と接続された情報処理装置における情報処理方法であって、
前記周辺機器に関する周辺機器データを生成するデータ生成ステップと、
前記周辺機器データの送信指示を前記Ｗｅｂサーバ装置から受け付ける指示受付ステップと、
前記送信指示に応答して、前記周辺機器の制御プログラムを記憶する第１記憶手段により記憶された制御プログラムのバージョン情報と前記周辺機器データを記憶する第２記憶手段により記憶された周辺機器データに含まれるバージョン情報とを比較する比較ステップと、
前記比較の結果、前記バージョン情報同士が一致しなければ、前記周辺機器データを更新するよう制御する更新制御ステップと、
前記更新された周辺機器データを前記Ｗｅｂサーバ装置へ送信する送信ステップと、
前記送信された周辺機器データへの応答となるページデータを前記Ｗｅｂサーバ装置から受信する受信ステップと、
前記受信ステップにより受信されたページデータをＷｅｂブラウザのウインドウに表示させる表示制御ステップと、
を含み、
前記周辺機器データに含まれるバージョン情報は、前記データ生成ステップにより前記周辺機器データが生成されたときに前記第１記憶手段により記憶されていた制御プログラムのバージョン情報であることを特徴とする情報処理方法。
【請求項５】
Ｗｅｂサーバ装置とネットワークを介して通信可能であり、周辺機器と接続された情報処理装置のコンピュータに、
前記周辺機器に関する周辺機器データを生成するデータ生成手順と、
前記周辺機器データの送信指示を前記Ｗｅｂサーバ装置から受け付ける指示受付手順と、
前記送信指示に応答して、前記周辺機器の制御プログラムを記憶する第１記憶手段により記憶された制御プログラムのバージョン情報と前記周辺機器データを記憶する第２記憶手段により記憶された周辺機器データに含まれるバージョン情報とを比較する比較手順と、
前記比較の結果、前記バージョン情報同士が一致しなければ、前記周辺機器データを更新するよう制御する更新制御手順と、
前記更新された周辺機器データを前記Ｗｅｂサーバ装置へ送信する送信手順と、
前記送信された周辺機器データへの応答となるページデータを前記Ｗｅｂサーバ装置から受信する受信手順と、
前記受信手順により受信されたページデータをＷｅｂブラウザのウインドウに表示させる表示制御手順と、
を実行させるためのプログラムであって、
前記周辺機器データに含まれるバージョン情報は、前記データ生成手順により前記周辺機器データが生成されたときに前記第１記憶手段により記憶されていた制御プログラムのバージョン情報であることを特徴とするプログラム。
【手続補正２】
【補正対象書類名】明細書
【補正対象項目名】発明の名称
【補正方法】変更
【補正の内容】
【発明の名称】情報処理装置、情報処理方法及びプログラム
【手続補正３】
【補正対象書類名】明細書
【補正対象項目名】０００１
【補正方法】変更
【補正の内容】
【０００１】
本発明は、ブラウザが表示可能なコンテンツをネットワーク経由で提供するＷｅｂサーバに接続可能な情報処理装置、情報処理方法及びプログラムに関するものである。
【手続補正４】
【補正対象書類名】明細書
【補正対象項目名】０００９
【補正方法】変更
【補正の内容】
【０００９】
本発明は、上述した事情を考慮してなされたもので、クライアントＰＣ（情報処理装置）の環境情報をより少ない処理負荷でＷｅｂサーバへ送信することを目的とする。
【手続補正５】
【補正対象書類名】明細書
【補正対象項目名】００１０
【補正方法】変更
【補正の内容】
【００１０】
この発明は、上述した課題を解決すべくなされたもので、Ｗｅｂサーバ装置とネットワークを介して通信可能であり、周辺機器と接続された情報処理装置であって、前記周辺機器の制御プログラムを記憶する第１記憶手段と、前記周辺機器に関する周辺機器データを生成するデータ生成手段と、前記周辺機器データを記憶する第２記憶手段と、前記周辺機器データの送信指示を前記Ｗｅｂサーバ装置から受け付ける指示受付手段と、前記送信指示に応答して、前記第１記憶手段により記憶された制御プログラムのバージョン情報と前記第２記憶手段により記憶された周辺機器データに含まれるバージョン情報とを比較する比較手段と、前記比較の結果、前記バージョン情報同士が一致しなければ、前記周辺機器データを更新するよう制御する更新制御手段と、前記更新された周辺機器データを前記Ｗｅｂサーバ装置へ送信する送信手段と、前記送信された周辺機器データへの応答となるページデータを前記Ｗｅｂサーバ装置から受信する受信手段と、前記受信手段により受信されたページデータをＷｅｂブラウザのウインドウに表示させる表示制御手段と、を備え、前記周辺機器データに含まれるバージョン情報は、前記データ生成手段により前記周辺機器データが生成されたときに前記第１記憶手段により記憶されていた制御プログラムのバージョン情報であることを特徴とする。
【手続補正６】
【補正対象書類名】明細書
【補正対象項目名】００１１
【補正方法】変更
【補正の内容】
【００１１】
また、本発明は、Ｗｅｂサーバ装置とネットワークを介して通信可能であり、周辺機器と接続された情報処理装置における情報処理方法であって、前記周辺機器に関する周辺機器データを生成するデータ生成ステップと、前記周辺機器データの送信指示を前記Ｗｅｂサーバ装置から受け付ける指示受付ステップと、前記送信指示に応答して、前記周辺機器の制御プログラムを記憶する第１記憶手段により記憶された制御プログラムのバージョン情報と前記周辺機器データを記憶する第２記憶手段により記憶された周辺機器データに含まれるバージョン情報とを比較する比較ステップと、前記比較の結果、前記バージョン情報同士が一致しなければ、前記周辺機器データを更新するよう制御する更新制御ステップと、前記更新された周辺機器データを前記Ｗｅｂサーバ装置へ送信する送信ステップと、前記送信された周辺機器データへの応答となるページデータを前記Ｗｅｂサーバ装置から受信する受信ステップと、前記受信ステップにより受信されたページデータをＷｅｂブラウザのウインドウに表示させる表示制御ステップと、を含み、前記周辺機器データに含まれるバージョン情報は、前記データ生成ステップにより前記周辺機器データが生成されたときに前記第１記憶手段により記憶されていた制御プログラムのバージョン情報であることを特徴とする。
【手続補正７】
【補正対象書類名】明細書
【補正対象項目名】００１２
【補正方法】変更
【補正の内容】
【００１２】
また、本発明は、Ｗｅｂサーバ装置とネットワークを介して通信可能であり、周辺機器と接続された情報処理装置のコンピュータに、前記周辺機器に関する周辺機器データを生成するデータ生成手順と、前記周辺機器データの送信指示を前記Ｗｅｂサーバ装置から受け付ける指示受付手順と、前記送信指示に応答して、前記周辺機器の制御プログラムを記憶する第１記憶手段により記憶された制御プログラムのバージョン情報と前記周辺機器データを記憶する第２記憶手段により記憶された周辺機器データに含まれるバージョン情報とを比較する比較手順と、前記比較の結果、前記バージョン情報同士が一致しなければ、前記周辺機器データを更新するよう制御する更新制御手順と、前記更新された周辺機器データを前記Ｗｅｂサーバ装置へ送信する送信手順と、前記送信された周辺機器データへの応答となるページデータを前記Ｗｅｂサーバ装置から受信する受信手順と、前記受信手順により受信されたページデータをＷｅｂブラウザのウインドウに表示させる表示制御手順と、を実行させるためのプログラムであって、前記周辺機器データに含まれるバージョン情報は、前記データ生成手順により前記周辺機器データが生成されたときに前記第１記憶手段により記憶されていた制御プログラムのバージョン情報であることを特徴とする。
【手続補正８】
【補正対象書類名】明細書
【補正対象項目名】００１３
【補正方法】削除
【補正の内容】
【手続補正９】
【補正対象書類名】明細書
【補正対象項目名】００１４
【補正方法】削除
【補正の内容】
【手続補正１０】
【補正対象書類名】明細書
【補正対象項目名】００１５
【補正方法】変更
【補正の内容】
【００１５】
本発明によれば、クライアントＰＣ（情報処理装置）の環境情報をより少ない処理負荷でＷｅｂサーバへ送信することができる。